(57)【特許請求の範囲】
【請求項１】
回路組立体であって、
両端部に被固定手段を有する配線基板と、
電気コネクタであり、
電気絶縁性を有するハウジングであり、開放面を有する該ハウジングと、
複数の導電性の接触子であり、前記ハウジングに保持され、その中央部分が前記開放面から外方向に傾斜しつつ突出し、前記複数の導電性の接触子の前記配線基板との接点が前記ハウジングの長手方向において千鳥状に配列されるように、隣接する導電性の接触子の傾斜が反対方向を向くように配置されている、該接触子と、
前記ハウジングの両端部において前記配線基板の前記被固定手段に対応して設けられた固定手段と、を有する前記電気コネクタと、を備え、
前記電気コネクタと前記配線基板とが結合するときに、前記固定手段が前記配線基板の前記被固定手段に嵌合し、
前記ハウジングは、対向して配置される第１側壁部及び第２側壁部を少なくとも有し、当該第１側壁部及び第２側壁部により前記開放面が画成されており、
前記接触子は、前記第１側壁部と前記第２側壁部との間の所定の位置に配置されると共に前記第１側壁部及び第２側壁部のいずれか一方、もしくは両方に保持されており、
前記接触子は、
前記第１側壁部の所定の位置に埋め込まれる第１端部と、
前記第２側壁部の所定の位置に埋め込まれる第２端部と、
前記第１端部側に連設され、前記第２側壁部側に延びる第１部分と、
前記第２端部側に連設され、前記第１側壁部側に延びる第２部分と、
前記第１部分と前記第２部分とを屈曲部により連結する前記中央部分と、を備え、
前記第２部分は、複数の直線部分と複数の屈曲部分とを有し、
前記複数の直線部分のうちの一の直線部分と前記第１部分とは、略平行をなして前記開放面に対して傾斜しており、
前記中央部分は、前記電気コネクタが前記配線基板と結合するときに、前記開放面に向かって弾性的に移動する、回路組立体。
【請求項２】
前記固定手段は、前記被固定手段と嵌合したときに、前記配線基板の中心から横方向に相反する力を当該配線基板に与える、請求項１記載の回路組立体。
【請求項３】
前記配線基板上に配置される押圧部材であって、前記配線基板を前記ハウジング側に押圧する該押圧部材を備える、請求項１記載の回路組立体。
【請求項４】
前記配線基板上に配置される押圧部材であり、前記配線基板を前記ハウジング側に押圧する該押圧部材を備え、
前記固定手段は、前記被固定手段と嵌合したときに、前記配線基板の中心から横方向に相反する力を当該配線基板に与える、請求項１記載の回路組立体。
【請求項５】
回路組立体であって、
両端部に被固定手段を有する配線基板と、
電気コネクタであり、
電気絶縁性を有するハウジングであり、開放面を有する該ハウジングと、
複数の導電性の接触子であり、前記ハウジングに保持され、その中央部分が前記開放面から外方向に傾斜しつつ突出する、該接触子と、
前記ハウジングの両端部において前記配線基板の前記被固定手段に対応して設けられた固定手段と、を有する前記電気コネクタと、を備え、
前記電気コネクタと前記配線基板とが結合するときに、前記固定手段が前記配線基板の前記被固定手段に嵌合し、
前記ハウジングは、対向して配置される第１側壁部及び第２側壁部を少なくとも有し、当該第１側壁部及び第２側壁部により前記開放面が画成されており、
前記接触子は、前記第１側壁部と前記第２側壁部との間の所定の位置に配置されると共に前記第１側壁部及び第２側壁部のいずれか一方、もしくは両方に保持されており、
前記接触子は、
前記第１側壁部の所定の位置に埋め込まれる第１端部と、
前記第２側壁部の所定の位置に埋め込まれる第２端部と、
前記第１端部側に連設され、前記第２側壁部側に延びる第１部分と、
前記第２端部側に連設され、前記第１側壁部側に延びる第２部分と、
前記第１部分と前記第２部分とを屈曲部により連結する前記中央部分と、を備え、
前記第２部分は、複数の直線部分と複数の屈曲部分とを有し、
前記複数の直線部分のうちの一の直線部分と前記第１部分とは、略平行をなして前記開放面に対して傾斜しており、
前記中央部分は、前記電気コネクタが前記配線基板と結合するときに、前記開放面に向かって弾性的に移動する、回路組立体。
【請求項６】
前記被固定手段は、前記配線基板の両端部に形成された穴を含み、
前記固定手段は、
前記配線基板の前記穴に嵌合可能に構成された嵌合部と、
前記嵌合部と連設され、前記ハウジングに固定される基部と、
を有する、請求項１〜５のいずれか一項記載の回路組立体。
【請求項７】
配線基板と電気コネクタとを含む回路組立体の組立方法であって、
前記配線基板は、両端部に被固定手段を有し、
前記電気コネクタは、
電気絶縁性を有するハウジングであり、開放面を有する該ハウジングと、
複数の導電性の接触子であり、前記ハウジングに保持され、その中央部分が前記開放面から外方向に傾斜しつつ突出し、前記複数の導電性の接触子の前記配線基板との接点が前記ハウジングの長手方向において千鳥状に配列されるように、隣接する導電性の接触子の傾斜が反対方向を向くように配置されている、該接触子と、
前記ハウジングの両端部において前記配線基板の前記被固定手段に対応して設けられた固定手段と、を有しており、
前記ハウジングは、対向して配置される第１側壁部及び第２側壁部を少なくとも有し、当該第１側壁部及び第２側壁部により前記開放面が画成されており、
前記接触子は、前記第１側壁部と前記第２側壁部との間の所定の位置に配置されると共に前記第１側壁部及び第２側壁部のいずれか一方、もしくは両方に保持されており、
前記接触子は、
前記第１側壁部の所定の位置に埋め込まれる第１端部と、
前記第２側壁部の所定の位置に埋め込まれる第２端部と、
前記第１端部側に連設され、前記第２側壁部側に延びる第１部分と、
前記第２端部側に連設され、前記第１側壁部側に延びる第２部分と、
前記第１部分と前記第２部分とを屈曲部により連結する前記中央部分と、を備え、
前記第２部分は、複数の直線部分と複数の屈曲部分とを有し、
前記複数の直線部分のうちの一の直線部分と前記第１部分とは、略平行をなして前記開放面に対して傾斜しており、
前記中央部分は、前記電気コネクタが前記配線基板と結合するときに、前記開放面に向かって弾性的に移動し、
前記配線基板上に前記電気コネクタの前記ハウジングを載置し、前記固定手段を前記配線基板の被固定手段に嵌合させてなる、回路組立体の組立方法。
【請求項８】
配線基板と結合する電気コネクタであって、
電気絶縁性を有するハウジングであり、開放面を有する該ハウジングと、
複数の導電性の接触子であり、前記ハウジングに保持され、その中央部分が前記開放面から外方に傾斜しつつ突出し、前記複数の導電性の接触子の前記配線基板との接点が前記ハウジングの長手方向において千鳥状に配列されるように、隣接する導電性の接触子の傾斜が反対方向を向くように配置されている、該接触子と、
前記ハウジングの両端部において前記配線基板の被固定手段に対応して設けられた固定手段と、
を備え、
前記ハウジングは、対向して配置される第１側壁部及び第２側壁部を少なくとも有し、当該第１側壁部及び第２側壁部により前記開放面が画成されており、
前記接触子は、前記第１側壁部と前記第２側壁部との間の所定の位置に配置されると共に前記第１側壁部及び第２側壁部のいずれか一方、もしくは両方に保持されており、
前記接触子は、
前記第１側壁部の所定の位置に埋め込まれる第１端部と、
前記第２側壁部の所定の位置に埋め込まれる第２端部と、
前記第１端部側に連設され、前記第２側壁部側に延びる第１部分と、
前記第２端部側に連設され、前記第１側壁部側に延びる第２部分と、
前記第１部分と前記第２部分とを屈曲部により連結する前記中央部分と、を備え、
前記第２部分は、複数の直線部分と複数の屈曲部分とを有し、
前記複数の直線部分のうちの一の直線部分と前記第１部分とは、略平行をなして前記開放面に対して傾斜しており、
前記中央部分は、前記電気コネクタが前記配線基板と結合するときに、前記開放面に向かって弾性的に移動し、
前記電気コネクタと前記配線基板とが結合するときに、前記固定手段が前記配線基板の前記被固定手段に嵌合する、電気コネクタ。
【請求項９】
前記固定手段は、前記被固定手段と嵌合したときに、前記配線基板の中心から横方向に相反する力を当該配線基板に与える、請求項８記載の電気コネクタ。
【請求項１０】
前記被固定手段は、前記配線基板の両端部に形成された穴を含み、
前記固定手段は、
前記配線基板の前記穴に嵌合可能に構成された嵌合部と、
前記嵌合部と連設され、前記ハウジングに固定される基部と、
を有する、請求項８又は９記載の電気コネクタ。
【請求項１１】
配線基板と結合する電気コネクタであって、
電気絶縁性を有するハウジングであり、開放面を有する該ハウジングと、
複数の導電性の接触子であり、前記ハウジングに保持され、その中央部分が前記開放面から外方に傾斜しつつ突出する、該接触子と、
前記ハウジングの両端部において前記配線基板の被固定手段に対応して設けられた固定手段と、
を備え、
前記電気コネクタと前記配線基板とが結合するときに、前記固定手段が前記配線基板の前記被固定手段に嵌合し、
前記ハウジングは、対向して配置される第１側壁部及び第２側壁部を少なくとも有し、当該第１側壁部及び第２側壁部により前記開放面が画成されており、
前記接触子は、前記第１側壁部と前記第２側壁部との間の所定の位置に配置されると共に前記第１側壁部及び第２側壁部のいずれか一方、もしくは両方に保持されており、
前記接触子は、
前記第１側壁部の所定の位置に埋め込まれる第１端部と、
前記第２側壁部の所定の位置に埋め込まれる第２端部と、
前記第１端部側に連設され、前記第２側壁部側に延びる第１部分と、
前記第２端部側に連設され、前記第１側壁部側に延びる第２部分と、
前記第１部分と前記第２部分とを屈曲部により連結する前記中央部分と、を備え、
前記第２部分は、複数の直線部分と複数の屈曲部分とを有し、
前記複数の直線部分のうちの一の直線部分と前記第１部分とは、略平行をなして前記開放面に対して傾斜しており、
前記中央部分は、前記電気コネクタが前記配線基板と結合するときに、前記開放面に向かって弾性的に移動する、電気コネクタ。
【発明の詳細な説明】
【技術分野】
【０００１】
本発明は、回路組立体、回路組立体の組立方法及び電気コネクタに関する。
【背景技術】
【０００２】
基板と基板間を接続するための複数の接触子を有する基板用コネクタから構成される回路組立体には種々のものがあり、例えば以下の特許文献１記載の基板用コネクタ及びそれを有する回路組立体が知られている。
【０００３】
特許文献１には、「絶縁基板の少なくとも一方の板面に信号線及びグランド線が形成されているプリント配線板２と、プリント配線板２とＦＰＣ１０とを電気的に接続するために用いられる基板用コネクタ１５と、を備えた回路体接続構造１であって、基板用コネクタ１５に収容された信号接触子の基板側電気接触部と電気的に接触する複数対の信号線が、プリント配線板２の板面に固定された基板用コネクタ１５の前側に位置し、基板用コネクタ１５に収容されたグランド接触子の基板側電気接触部と電気的に接続するグランド線が基板用コネクタ１５の後側に位置し、信号線とグランド線とが相互に対峙する回路体接続構造１」との記載がある。
【先行技術文献】
【特許文献】
【０００４】
【特許文献１】特開２００７−２１３９９８号公報
【発明の概要】
【発明が解決しようとする課題】
【０００５】
近年、各種電気製品の製造工程において、各電子部品・部材（配線基板等）の回路基板への実装は、自動化の著しい進展が達成されつつある。しかしながら、例えば、上記特許文献１記載のような回路組立体においては、回路基板上での配線基板の取り付けが回路基板上に搭載された基板用コネクタを介して行うものである。このとき、配線基板の取り付けが回路基板の略垂直面に配置された基板用コネクタ挿入口から挿入する必要があるため、配線基板の回路基板への実装は、自動化が極めて困難なものとなっている。
【０００６】
さらに、特許文献１記載のような回路組立体であって、配線基板の基板用コネクタへの挿着の際、無荷重挿入機能（いわゆるゼロインサーション：Zero Insertion Force socket）を有したＺＩＦコネクタを用いる場合は、スライダ等のＺＩＦロックのコネクタボディーへの挿入作業を行わなくてはならず、この観点からも、配線基板の回路基板への実装は、自動化が極めて困難なものとなっている。
【０００７】
本発明の目的は、回路基板への配線基板の実装の自動化を実現可能な回路組立体、回路組立体の組立方法及び電気コネクタを提供することにある。
【課題を解決するための手段】
【０００８】
本発明の一側面は、回路組立体であって、両端部に被固定手段を有する配線基板と、電気コネクタであり、電気絶縁性を有するハウジングであり、開放面を有する該ハウジングと、複数の導電性の接触子であり、ハウジングに保持され、その中央部分が開放面から外方向に傾斜しつつ突出する、該接触子と、ハウジングの両端部において配線基板の被固定手段に対応して設けられた固定手段と、を有する電気コネクタと、を備え、電気コネクタと配線基板とが結合するときに、固定手段が配線基板の被固定手段に嵌合する、回路組立体である。
【０００９】
一実施形態においては、固定手段は、被固定手段と嵌合したときに、回路基板の中心から横方向に相反する力を当該配線基板に与える。
【００１０】
一実施形態においては、配線基板上に配置される押圧部材であり、ハウジングに固定されると共に、配線基板をハウジング側に押圧する、該押圧部材を備える。
【００１１】
一実施形態においては、ハウジングは、対向して配置される第１側壁部及び第２側壁部を少なくとも有し、当該第１側壁部及び第２側壁部により開放面が画成されており、接触子は、第１側壁部と第２側壁部との間の所定の位置に配置されると共に第１側壁部及び第２側壁部のいずれか一方、もしくは両方に保持されている。
【００１２】
本発明の一側面は、配線基板と電気コネクタとを含む回路組立体の組立方法であって、配線基板は、両端部に被固定手段を有し、電気コネクタは、電気絶縁性を有するハウジングであり、開放面を有する該ハウジングと、複数の導電性の接触子であり、ハウジングに保持され、その中央部分が開放面から外方向に傾斜しつつ突出する、該接触子と、ハウジングの両端部において配線基板の被固定手段に対応して設けられた固定手段と、を有しており、電気コネクタのハウジング上に配線基板を載置し、固定手段を配線基板の被固定手段に嵌合させてなる、回路組立体の組立方法である。
【００１３】
本発明の一側面は、配線基板と結合する電気コネクタであって、電気絶縁性を有するハウジングであり、開放面を有する該ハウジングと、複数の導電性の接触子であり、ハウジングに保持され、その中央部分が開放面から外方に傾斜しつつ突出する、該接触子と、ハウジングの両端部において配線基板の被固定手段に対応して設けられた固定手段と、を備え、電気コネクタと配線基板とが結合するときに、固定手段が配線基板の被固定手段に嵌合する、電気コネクタである。
【発明の効果】
【００１４】
本発明によれば、配線基板、電気コネクタから構成された回路組立体は、配線基板を電気コネクタの上方から配置して配線基板を電気コネクタに固定できるため、配線基板の実装の自動化が可能となる。
【図面の簡単な説明】
【００１５】
【図１】第１実施形態に係る回路組立体を示す斜視図である。
【図２】図１に示す回路組立体の分解斜視図である。
【図３】（ａ）は図１に示す回路組立体の配線基板を上方から示す斜視図であり、（ｂ）は図１に示す回路組立体の配線基板を下方から示す斜視図である。
【図４】図１に示す回路組立体の電気コネクタの分解斜視図である。
【図５】電気コネクタの一部を拡大して示す斜視図である。
【図６】（ａ）は、配線基板と電気コネクタとが結合する前の状態を示した側面図であり、（ｂ）は、配線基板と電気コネクタとが結合した状態を示す側面図である。
【図７】（ａ）は配線基板と電気コネクタとが結合する前の状態を一部拡大して示す断面図であり、（ｂ）は配線基板と電気コネクタとが結合した状態を一部拡大して示す断面図である。
【図８】接触子を示す斜視図である。
【図９】図２におけるIX−IX線断面図である。
【図１０】回路組立体の組み立て工程を示す図である。
【図１１】第１実施形態の他の様態を示す斜視図である。
【図１２】第２実施形態に係る回路組立体を示す斜視図である。
【図１３】（ａ）は図１２に示す回路組立体の配線基板を上方から示す斜視図であり、（ｂ）は図１２に示す回路組立体の配線基板を下方から示す斜視図である。
【図１４】（ａ）は図１２に示す回路組立体の電気コネクタを上方から示す斜視図であり、（ｂ）は図１２に示す回路組立体の電気コネクタを下方から示す斜視図である。
【図１５】電気コネクタと配線基板とが結合した状態を示す斜視図である。
【図１６】（ａ）は図１２に示す回路組立体の押圧部材を上方から示す斜視図であり、（ｂ）は図１２に示す回路組立体の押圧部材を下方から示す斜視図である。
【図１７】第３実施形態に係る回路組立体の電気コネクタを示す斜視図である。
【図１８】図１７におけるＡ−Ａ線断面図である。
【図１９】第４実施形態に係る回路組立体の電気コネクタを示す斜視図である。
【図２０】図１９におけるＢ−Ｂ線断面図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。
【００１７】
［第１実施形態］
図１は、第１実施形態に係る回路組立体を示す斜視図である。図２は、図１に示す回路組立体の分解斜視図である。図３（ａ）は、図１に示す回路組立体の配線基板を上方から示す斜視図であり、図３（ｂ）は、図１に示す回路組立体の配線基板を下方から示す斜視図である。図１及び図２では、図示のとおりＸ方向、Ｙ方向及びＺ方向を定義する。
【００１８】
各図に示す回路組立体１は、高速差動信号を受信するデジタル信号受像器（図示しない）などに適用されるものである。回路組立体１は、配線基板２と、電気コネクタ３と、補強部材４とを備えている。電気コネクタ３は、配線基板２をＩＣ（Integrated Circuit）などが搭載された回路基板５に電気的に接続する部品である。
【００１９】
最初に、配線基板２について説明する。図３に示すように、配線基板２は、例えば、ＦＰＣ（Flexibleprinted circuits）などを含む基板であり、ポリイミドなどの材料で構成される厚さ数十μｍ程度の絶縁基板に配線導体としての信号線及びグランド線６ａがプリントされている。絶縁基板の一面の端部には、信号線及びグランド線６ａが電気的に接続される複数の端子６が並設されている。配線パターンを構成する配線導体には、厚さ数十μｍ程度の導電性金属箔、例えば銅箔などを用いることができる。
【００２０】
上記の構成を有する配線基板２の先端部２Ａは、他の部分よりも幅広に形成されている。配線基板２の先端部２Ａは略矩形形状を呈しており、先端部２Ａには、嵌合穴（被固定手段）７が形成されている。つまり、被固定手段は、配線基板の両端部に形成された穴である。嵌合穴７は、略矩形形状を呈しており、配線基板２の幅方向（Ｘ方向）の両端部に形成されている。嵌合穴７は、配線基板２の長手方向（Ｙ方向）に沿ってそれぞれ複数（ここでは２つ）並設されている。また、先端部２Ａには、切欠部８が形成されている。切欠部８は、略矩形形状を呈しており、嵌合穴７，７の間に設けられている。
【００２１】
次に、電気コネクタ３について説明する。図４は、図１に示す回路組立体の電気コネクタの分解斜視図である。図４に示すように、電気コネクタ３は、ハウジング１０と、基板保持部（固定手段）１２ａ，１２ｂと、接触子１４とを備えている。電気コネクタ３の外形寸法は、例えば長さが１２．５０ｍｍ、幅が４．５０ｍｍ、高さが１．００ｍｍ程度となっている。なお、図４では、説明の便宜上、接触子１４の図示を一部省略している。
【００２２】
ハウジング１０は、電気絶縁性を有する材料から形成されている。電気絶縁性を有する材料としては、工業用プラスチック材料、例えば、ＰＢＴ（ポリブチレンテレフタレート：polybutylene terephthalate）、ＰＣ（ポリカーボネート：Polycarbonate）、ＰＳＳ（ポリスチレンスルホン酸：polystyrene sulfonate）、ＬＣＰ（液晶ポリマー：LiquidCrystal Polymer（Plastic））、ナイロン等の様々な樹脂を使用できる。ハウジング１０は、例えば樹脂の射出成形により形成されている。
【００２３】
ハウジング１０は、第１側壁部２０と、第２側壁部２１と、第１側壁部２０と第２側壁部２１とを連結する一対の連結部２２，２３とから構成されている。第１側壁部２０及び第２側壁部２１は、断面が略矩形形状を呈する柱状の部材であり、互いに所定の間隔をあけて対向配置されていると共に、互いに略平行に延在している。第１側壁部２０及び第２側壁部２１のそれぞれの上面２０ａ，２１ａは、平坦面であり、同じ高さ位置となっている。
【００２４】
連結部２２，２３は、第１側壁部２０及び第２側壁部２１の長手方向（Ｘ方向）の両端部にそれぞれ設けられている。連結部２２と連結部２３とは、同様の構成を有している。ここでは、連結部２２を例示して構成を説明する。
【００２５】
連結部２２は、基部２５と、第１〜第３突起部２６，２７，２８とから構成されている。基部２５は、第１及び第２側壁部２０，２１の長手方向の一端部に連設されている。基部２５は、板状の部材であり、第１側壁部２０と第２側壁部２１との対向方向（Ｙ方向）に沿って延在している。基部２５には、後述する基板保持部１２ａ，１２ｂを取り付けるための係合溝２５ａが形成されている。係合溝２５ａは、第３突起部２８を挟んで一対設けられており、第１及び第２側壁部２０，２１の長手方向に沿って延びている。
【００２６】
第１〜第３突起部２６〜２８は、基部２５から上方に突出しており、その先端は、第１側壁部２０及び第２側壁部２１の上面２０ａ，２１ａよりも上方に位置している。第１突起部２６及び第２突起部２７は、基部２５の長手方向（ハウジング１０の幅方向：Ｙ方向）の両端部に設けられており、互いに対向して配置されている。第３突起部２８は、基部２５の幅方向（ハウジング１０の長手方向：Ｘ方向）の中央部分に配置され、基部２５の上面から上方に突出している。
【００２７】
第１〜第３突起部２６〜２８の上部には、それぞれガイド面２６ａ，２７ａ，２８ａが形成されている。ガイド面２６ａ，２７ａ，２８ａは、ハウジング１０の内側に向かって下り勾配で傾斜する傾斜面（テーパー）である。ガイド面２６ａ，２７ａ，２８ａの下端は、第１及び第２側壁部２０，２１の上面２０ａ，２１ａの高さ位置と略同等となっている。このガイド面２６ａ，２７ａ，２８ａは、ハウジング１０に配線基板２が配置される際の位置決め機構として機能する。
【００２８】
ハウジング１０には、第１側壁部２０、第２側壁部２１及び連結部２２，２３により、略矩形形状の開口部Ｋが画成されている。また、ハウジング１０は、第１側壁部２０及び第２側壁部２１の上面２０ａ，２１ａにより開放面ＯＳが画成されており、一方向において開口されている。なお、図９に示すように、ハウジング１０の底面は、面一となっている。これにより、ハウジング１０は、回路基板５に安定的に固定される。
【００２９】
図５は、電気コネクタの一部を拡大して示す斜視図である。図６（ａ）は、配線基板と電気コネクタとが結合する前の状態を示した側面図であり、図６（ｂ）は、配線基板と電気コネクタとが結合した状態を示す側面図である。図７（ａ）は、配線基板と電気コネクタとが結合する前の状態を一部拡大して示す断面図であり、図７（ｂ）は、配線基板と電気コネクタとが結合した状態を一部拡大して示す断面図である。
【００３０】
図５に示す基板保持部１２ａ，１２ｂは、配線基板２をハウジング１０に保持固定する手段である。図５に示すように、基板保持部１２ａ，１２ｂは、弾性を有する例えば金属などの材料から形成されている。連結部２２に配置される基板保持部１２ａと連結部２３に配置される基板保持部１２ｂとは、同様の構成を有している。ここでは、連結部２３に配置される基板保持部１２ｂを例示して構成を説明する。
【００３１】
基板保持部１２ｂは、第１側壁部２０及び第２側壁部２１の長手方向の一端部側、すなわちハウジング１０の連結部２３に取り付けられている。基板保持部１２ｂは、配線基板の穴に嵌合可能に構成された嵌合部と、嵌合部と連設され、ハウジングに固定される基部とを有している。すなわち、基板保持部１２ｂは、可撓性を有しており、基部３０と、嵌合部３１と、基部３０と嵌合部３１とを連結する連結部３２とから構成されている。基部３０、嵌合部３１及び連結部３２は、板金により一体に形成されている。
【００３２】
基部３０は、板状の部材であり、連結部２２の長手方向（Ｙ方向）に延在する長尺部分３０ａと、長尺部分３０ａの短手方向の側部から一方向に向かって張り出す一対の張出部分３０ｂ，３０ｃとを有している（図５参照）。基部３０は、連結部２２の底面側に配置される。
【００３３】
嵌合部３１は、配線基板２の嵌合穴７及び後述する補強部材４の嵌合穴９に嵌合する部分である。図６に示すように、嵌合部３１は、上面部３１ａと、上面部３１ａの一端側に連設された第１側面部３１ｂと、上面部３１ａと連結部３２との間に連設された第２側面部３１ｃとから構成されている。
【００３４】
上面部３１ａは、上から見て略矩形形状を呈しており、配線基板２の嵌合穴７及び補強部材４の嵌合穴９と略同等の寸法を有している。上面部３１ａには、係止部３４が設けられている。係止部３４は、配線基板２及び補強部材４を係止する部分であり、上面部３１ａの側面に設けられている。係止部３４は、上面部３１ａの上面から外側の下方に傾斜する傾斜面を有している。
【００３５】
第１側面部３１ｂ及び第２側面部３１ｃは、嵌合穴７及び嵌合穴９と当接する部分である。第１側面部３１ｂと第２側面部３１ｃとの幅寸法は、嵌合穴７及び嵌合穴９の径よりも大きくなっている。第１側面部３１ｂの外面には、外側に膨らむ湾曲面が設けられている。また、第１側面部３１ｂの先端と連結部３２との間には、隙間Ｄが設けられている。嵌合部３１は、配線基板２が押し込まれる際に押圧されたときに、隙間Ｄ分だけ下方に撓むことが可能に設けられている。
【００３６】
連結部３２は、基部３０の一端部と嵌合部３１の一端部とを一体的に連結している。連結部３２は、略Ｕ字状を呈しており、ハウジング１０の連結部２２，２３に形成された係合溝２５ａに挿入される。これにより、基板保持部１２ａ，１２ｂが連結部２２，２３に固定される。固定手段は、被固定手段と嵌合したときに、配線基板の中心から横方向に相反する力を配線基板に与える。すなわち、基板保持部１２ａ，１２ｂは、配線基板２の嵌合穴７及び補強部材４の嵌合穴９と嵌合したときに、配線基板２及び補強部材４に対して、中央部（中心）から両端部側（横方向）に向かって相反する方向、つまりＸ方向の外側に引っ張る張力を与える。また、上面部３１ａの係止部３４により、配線基板２及び補強部材４が係止され、電気コネクタ３に配線基板２及び補強部材４が固定される。
【００３７】
続いて、接触子１４について説明する。図２に示すように、接触子１４は、ハウジング１０に複数（ここでは３０本）配列されている。接触子１４は、ハウジング１０において第１側壁部２０と第２側壁部２１とにより画成される空間Ｓに配列されており、配線基板２との接点が露出している。接触子１４の幅は、例えば０．１５ｍｍ程度であり、接触子１４同士の配列ピッチは、例えば０．１５ｍｍ程度である。接触子１４は、例えば一定板厚のプレートをプレス加工により打ち抜くことにより形成できる。これにより、折り曲げ形状を有する接触子１４を容易に、且つ精度良く加工できる。
【００３８】
接触子１４は、その両端が第１側壁部２０と第２側壁部２１とに固定されて支持されている。詳細には、接触子１４は、例えばハウジング１０の射出成形時にハウジング１０と一体に形成されて固定されもよいし、ハウジング１０に圧入されてハウジング１０に固定されてもよい。隣接する接触子１４同士は、互いに逆方向に配置されている。これにより、接触子１４は、ハウジング１０の長手方向において、配線基板２との接点が千鳥状に配列されている。接触子１４の具体的な構成について、図８及び図９を参照しながら説明する。図８は、接触子を示す斜視図である。図９は、図２におけるIX−IX線断面図である。
【００３９】
図８及び図９に示すように、接触子１４は、接続端子４０と、第１側壁部２０の所定の位置に埋め込まれる第１端部４１と、第２側壁部２１の所定の位置に埋め込まれる第２端部４２と、第１端部４１側に連設され、第２側壁部２１側に延びる第１部分４３と、第２端部４２側に連設され、第１側壁部２０側に延びる第２部分４４と、第１部分４３と第２部分４４とを屈曲部により連結する中央部分４５と、を備え、第２部分４４は、複数の直線部分と複数の屈曲部分とを有し、複数の直線部分のうちの一の直線部分と第１部分４３とは、略平行をなして開放面ＯＳに対して傾斜しており、中央部分４５は、電気コネクタ３が配線基板と結合するときに、開放面ＯＳに向かって弾性的に移動する。接続端子４０、第１端部４１、第２端部４２、第１部分４３、第２部分４４及び中央部分４５は、一体に形成されており、同一平面上に位置している。
【００４０】
接続端子４０は、接触子１４の一端側の部分であり、直線状に構成されている。接続端子４０は、回路基板５に設けられた接触部（図示しない）に電気的に接触する。接続端子４０は、第１側壁部２０の外側面の外側に位置する。
【００４１】
第１端部４１は、接続端子４０と第１部分４３との間の部分である。第１端部４１は、その一部が第１側壁部２０に埋め込まれており、第１側壁部２０に支持固定される。第１端部４１は、直線状に構成されており、接続端子４０よりも上方の位置において接続端子４０と略平行に延在している。第２端部４２は、その一部が第２側壁部２１に埋め込まれており、第２側壁部２１に支持固定される。接触子１４は、この第２端部４２と第１端部４１との２箇所でハウジング１０に固定されて支持されている。
【００４２】
第１部分４３は、第１端部４１と中央部分４５との間の部分である。第１部分４３は、第１端部４１に連設されており、第１側壁部２０の底面側から開放面ＯＳ側に向かって傾斜して延在している。第２部分４４は、第２端部４２と中央部分４５との間の部分である。第２部分４４は、第１直線部（直線部分）４４ａと、第２直線部４４ｂと、第３直線部４４ｃと、第１屈曲部（屈曲部分）４４ｄと、第２屈曲部４４ｅとを有している。
【００４３】
第１直線部４４ａと第２直線部４４ｂとは、略Ｖ字状を呈する第１屈曲部４４ｄにより連結されている。第１直線部４４ａは、第２端部４２から第１側壁部２０側に向かって延在しており、第２側壁部２１側から第１側壁部２０側に向かって下方に傾斜している。第２直線部４４ｂは、第１屈曲部４４ｄから第１側壁部２０側に向かって延在しており、第２側壁部２１側から第１側壁部２０側に向かって上方に傾斜している。
【００４４】
第２直線部４４ｂと第３直線部４４ｃとは、略Ｖ字状を呈する第２屈曲部４４ｅにより連結されている。第３直線部４４ｃは、第２屈曲部４４ｅから第２側壁部２１側に向かって延在しており、第１側壁部２０側から第２側壁部２１側に向かって上方に傾斜している。つまり、第３直線部４４ｃは、第２屈曲部４４ｅにより第２直線部４４ｂに対して折り返されている。
【００４５】
中央部分４５は、Ｕ字状に折り曲げられた屈曲部分４５ａを有しており、第１部分４３と第２部分４４の第３直線部４４ｃとが所定の間隔をあけて略平行となるように、第１部分４３と第２部分４４とを連結している。中央部分４５の頂部は、配線基板２の端子６との接点である。中央部分４５は、第１側壁部２０及び第２側壁部２１の上面２０ａ，２１ａ、すなわち開放面ＯＳに対して傾斜しつつ、開放面ＯＳよりも上方（外方）に突出している。これにより、接触子１４は、上方から載置される配線基板２の端子６と接触可能とされている。
【００４６】
なお、上記の接触子１４に隣接する接触子１４は、上述の構成を左右反転させた構成を有している。すなわち、上述した接触子１４に隣接する接触子１４では、接続端子４０が第２側壁部２１の外側に位置しており、第１端部４１が第２側壁部２１に固定されている。また、第２端部４２が第１側壁部２０に固定されている。このような構成により、接触子１４は、その接点が千鳥状に配列される。
【００４７】
このような構成を有する接触子１４は、複数の屈曲部を備えることにより弾性を有しており、配線基板２が載置されて下方に押圧されると、開放面ＯＳ側に配線基板２を押し上げる方向に移動する弾性的な反力が作用する。また、接触子１４は、配線基板２が載置されたときに、下方に撓むことによりその接点が配線基板２の端子６に沿って摺動する。
【００４８】
補強部材４は、配線基板２がハウジング１０に載置されたときに、配線基板２の固定をサポートする部材である。補強部材４は、略矩形形状を呈しており、配線基板２の先端部２Ａと略同形状となっている。補強部材４は、例えば剛性を有する材料であって、例えば、ガラスエポキシ板、紙フェノール板、ポリイミドフィルム、ポリエステルフィルムや金属板等から形成されており、配線基板２の厚みと同等の厚みを有している。補強部材４には、配線基板２の嵌合穴７に対応する位置、すなわちハウジング１０における基板保持部１２ａ，１２ｂの嵌合部３１に対応する位置に嵌合穴９形成されている。また、また、補強部材４には、切欠部４ａが形成されている。切欠部４ａは、略矩形形状を呈しており、嵌合穴９の間に設けられている。
【００４９】
補強部材４は、配線基板２の一面（端子６が設けられている面の反対の面）に配置され、嵌合穴９がハウジング１０の基板保持部１２ａ，１２ｂと嵌合する。これにより、補強部材４には、配線基板２と同様に、この補強部材４を外側に引っ張る張力が与えられる。したがって、補強部材４が配線基板２を下方に押圧し、回路組立体１では、配線基板２の端子６と電気コネクタ３の接触子１４との接触がより確実なものとなる。
【００５０】
続いて、回路組立体１の組立方法について説明する。図１０は、回路組立体の組立手順を示す図である。
【００５１】
図１０に示すように、まず、電気コネクタ３を回路基板５上に配置する。次に、電気コネクタ３の上方に配線基板２を配置し、配線基板２を電気コネクタ３（ハウジング１０）上に載置する。このとき、ハウジング１０の第１〜第３突起部２６〜２８により配線基板２が位置決めされる。詳細には、配線基板２の切欠部８にハウジング１０の第３突起部２８が係合すると共に、各ガイド面２６ａ，２７ａにより配線基板２が所定の位置に配置される。そして、配線基板２を押圧し、基板保持部１２ａ，１２ｂの嵌合部３１と配線基板２の嵌合穴７とを嵌合させる。このとき、配線基板２が嵌合部３１の係止部３４により係止され、電気コネクタ３に配線基板２が固定される。
【００５２】
配線基板２と電気コネクタ３とが結合すると、基板保持部１２ａ，１２ｂによって配線基板２に張力が与えられる。この張力は、配線基板２の中央から相反する方向（基板保持部１２ａ，１２ｂが設けられている方向）、つまり配線基板２の両端部を互いに外側に引っ張る方向に付与される。これにより、配線基板２の全面に亘って下方に押圧する力が作用し、配線基板２の端子６と電気コネクタ３の接触子１４との接続が確保される。
【００５３】
続いて、配線基板２の上方に補強部材４を配置し、補強部材４を配線基板２上に載置する。そして、補強部材４を押圧し、基板保持部１２ａ，１２ｂの嵌合部３１と補強部材４の嵌合穴９とを嵌合させる。これにより、配線基板２と同様に、補強部材４に張力が付与される。なお、補強部材４は、配線基板２を電気コネクタ３に載置すると同時に配置されてもよい。以上のように、本実施形態では、電気コネクタ３に対して配線基板２及び補強部材４をこの順に積層することにより回路組立体１が組み立てられる。
【００５４】
以上説明したように、本実施形態では、電気コネクタ３のハウジング１０は、第１側壁部２０と第２側壁部２１とが対向して配置され、この第１側壁部２０と第２側壁部２１とりにより開放面ＯＳが画成されている。また、接触子１４は、第１側壁部２０及び第２側壁部２１との間に配列されると共に、第１側壁部２０及び第２側壁部２１に固定されており、その中央部分４５（配線基板２との接点）が開放面ＯＳから外方に突出して露出している。また、ハウジング１０の両端部には、配線基板２に設けられた嵌合穴７に対応する位置に基板保持部１２ａ，１２ｂが設けられている。
【００５５】
このような構成の電気コネクタ３では、接触子１４が開放面ＯＳから突出しているため電気コネクタ３に配線基板２を載置することにより、接触子１４と配線基板２の端子６とを接続できる。したがって、電気コネクタ３に配線基板２を取り付ける場合には、電気コネクタ３の上方から配線基板２を電気コネクタ３に載置し、配線基板２を上方から押圧する。つまり、本実施形態の回路組立体１では、ＰＦＣ２を上方から押し込むことにより、配線基板２を電気コネクタ３に実装できる。そのため、従来のように、配線基板２を水平方向から挿し込む作業を必要としない。したがって、回路基板５に搭載される電気コネクタ３に対する配線基板２の実装の自動化を実現できる。
【００５６】
また、基板保持部１２ａ，１２ｂは、ＰＦＣ２の嵌合穴７と嵌合したときに、配線基板２に対して配線基板２を外側に引っ張る張力を与える。したがって、電気コネクタ３に対して配線基板２が載置される構成であっても、ハウジング１０と配線基板２とを確実に固定でき、接触子１４と端子６との電気的な接続を良好に確保できる。
【００５７】
また、接触子１４は、複数の屈曲部（折り返し点）を有して構成されている。このような構成により、接触子１４の長さを確保できる。また、接触子１４は、第１側壁部２０及び第２側壁部２１に第１端部４１及び第２端部４２が保持される、いわゆる両持ち構造である。そのため、一端部のみで支持する、いわゆる片持ちの構造である場合に比べて、開放面ＯＳ側に移動する力、すなわち配線基板２が載置されたときに与えられる押圧に対する反力（弾性力）を得ることができる。これにより、接触子１４と配線基板２の端子６との接触をより確実に行うこと可能となる。
【００５８】
また、隣り合う接触子１４同士は、その向きが左右反転されて配置されている。そのため、接触子１４の中央部分４５同士が隣り合わない。これにより、接触子１４が押圧されて撓んだ場合であっても、隣接する中央部分４５が接触することを防止できる。したがって、接触子１４を狭ピッチで配置できる。
【００５９】
なお、上記実施形態では、配線基板２と補強部材４とを別部材としているが、配線基板２と補強部材４とが一体に形成されていてもよい。
【００６０】
また、上記実施形態では、接続端子４０が第１側壁部２０又は第２側壁部２１の外側面から面外方向に張り出す構成を例示しているが、接続端子４０の構成はこれに限定されない。接続端子４０は、回路基板５と電気的な接触が確保される構成であればよく、回路基板５の構成に合わせて適宜設定されればよい。
【００６１】
また、上記実施形態に加えて、回路組立体１は、図１１に示すような構成であってもよい。図１１は、第１実施形態の他の様態を示す分解斜視図である。図１１に示すように、回路組立体１Ａでは、電気コネクタ３Ａにおける第１側壁部２０の上面２０ａにおいて、上面２０ａから上方に突出する略円柱状の突出部４６が設けられる。これに対応して、配線基板２Ｂ及び補強部材４Ａには、突出部４６に対応する位置に切欠部４７，４８が設けられている。このような構成により、回路組立体１Ａでは、配線基板２を電気コネクタ３に載置する際、配線基板２の位置決めを容易に行うことができる。なお、突出部４６の位置及び数は図１０に示す構成に限定されない。
【００６２】
さらには、上記実施形態では、配線基板２及び補強部材４を固定する基板保持部１２ａ，１２ｂをハウジング１０の両端部に設けているが、配線基板２などを保持する手段を他の箇所に更に設けてもよい。詳細には、例えば第２側壁部２１に固定手段が設けられてもよい。
【００６３】
また、上記実施形態では、接触子１４を第１側壁部２０と第２側壁部２１とにより保持しているが、接触子１４は、一端のみが保持される構成であってももちろんよい。
【００６４】
［第２実施形態］
続いて、第２実施形態について説明する。図１２は、第２実施形態に係る回路組立体を示す斜視図である。図１３（ａ）は、図１２に示す回路組立体の配線基板を上方から示す斜視図であり、図１３（ｂ）は、図１２に示す回路組立体の配線基板を下方から示す斜視図である。図１４（ａ）は、図１２に示す回路組立体の電気コネクタを上方から示す斜視図であり、図１４（ｂ）は、図１２に示す回路組立体の電気コネクタを下方から示す斜視図である。図１５は、電気コネクタと配線基板とが結合した状態を示す斜視図である。図１２では、図示のとおりＸ方向、Ｙ方向及びＺ方向を定義する。
【００６５】
図１２〜１４に示すように、回路組立体５０は、配線基板５１と、電気コネクタ５２と、押圧部材５３とを備えている。電気コネクタ５２は、配線基板５１をＩＣなどが搭載された回路基板（図示しない）に電気的に接続する部品である。
【００６６】
最初に、配線基板５１について説明する。図１３に示すように、配線基板５１は、上記の配線基板２と同様に、ポリイミドなどの材料で構成される厚さ数十μｍ程度の絶縁基板に配線導体としての信号線及びグランド線５４ａがプリントされている。絶縁基板の一面の端部には、信号線及びグランド線５４ａが電気的に接続される複数の端子５４が並設されている。
【００６７】
上記の構成を有する配線基板５１の先端部５１Ａは、他の部分よりも幅広に形成されている。配線基板５１の先端部５１Ａは略矩形形状を呈しており、先端部５１Ａには、嵌合穴（被固定手段）５５が形成されている。嵌合穴７は、略円形形状を呈しており、配線基板５１の幅方向（Ｘ方向）の両端部に形成されている。嵌合穴５５は、配線基板５１の長手方向（Ｙ方向）に沿ってそれぞれ複数（ここでは２つ）並設されている。
【００６８】
配線基板５１の一面（端子５４が設けられている面と反対の面）には、補強部材５６が設けられている。補強部材５６は、例えばポリイミドなどの材料で形成されており、配線基板５１の先端部５１Ａに配置されている。配線基板５１の嵌合穴５５は、補強部材５６を貫通している。
【００６９】
次に、電気コネクタ５２について説明する。図１４に示すように、電気コネクタ５２は、ハウジング６０と、押圧部材保持部（固定手段）６１ａ，６１ｂと、接触子１４とを備えている。
【００７０】
ハウジング６０は、第１側壁部６３と、第２側壁部６４と、第１側壁部６３と第２側壁部６４とを連結する一対の連結部６５，６６とから構成されている。第１側壁部６３及び第２側壁部６４は、断面が略矩形形状を呈する柱状の部材であり、互いに所定の間隔をあけて対向配置されていると共に、互いに略平行に延在している。第１側壁部６３及び第２側壁部６４のそれぞれの上面６３ａ，６４ａは、平坦面であり、同じ高さ位置となっている。
【００７１】
第２側壁部６４には、突設部６７が設けられている。突設部６７は、断面が略矩形状を呈する部材であり、第２側壁部６４の上面６４ａから突設されている。突設部６７は、第２側壁部６４の外面に沿って配置されていると共に、第２側壁部６４の中央部分において所定の間隔をあけて離間している。突設部６７は、配線基板５１の位置決め機構として機能する。
【００７２】
連結部６５，６６は、第１側壁部６３及び第２側壁部６４の長手方向（Ｘ方向）の両端部にそれぞれ設けられている。連結部６５と連結部６６とは、同様の構成を有している。ここでは、連結部６５を例示して構成を説明する。
【００７３】
連結部６５には、突起部（固定手段）６８ａ，６８ｂが設けられている。突起部６８ａ，６８ｂは、連結部６５においてＹ方向に沿って所定の間隔をあけて複数（ここでは２つ）配置されている。突起部６８ａ，６８ｂは、連結部６５の上面から上方に突出して設けられており、その断面が略半円形形状を呈している。突起部６８ａ，６８ｂは、配線基板５１の嵌合穴５５が挿入される部分であり、後述する押圧部材保持部６１ａ，６１ｂの係止爪７２ａ，７２ｂとの協働により、配線基板５１を保持固定する。
【００７４】
ハウジング６０には、第１側壁部６３、第２側壁部６４及び連結部６５，６６により、矩形形状の開口部Ｋが画成されている。また、ハウジング６０は、第１側壁部６３及び第２側壁部６４の上面６３ａ，６４ａにより開放面ＯＳが画成されており、一方向において開口されている。
【００７５】
ハウジング６０の裏面には、絶縁シートＩＳが設けられている。絶縁シートＩＳは、ハウジング６０の裏面側において、第１側壁部６３、第２側壁部６４及び連結部６５，６６により画成される開口部Ｋを閉塞している。絶縁シートＩＳは、回路基板と接触子１４とを電気的に絶縁している。
【００７６】
押圧部材保持部６１ａ，６１ｂは、押圧部材５３をハウジング６０に固定する部分である。押圧部材保持部６１ａ，６１ｂは、連結部６５，６６に配置されている。押圧部材保持部６１ａと押圧部材保持部６１ｂとは、同様の構成を有している。ここでは、押圧部材保持部６１ａを例示して構成を説明する。
【００７７】
押圧部材保持部６１ａは、連結部６５の上面に沿って配置される基部７０と、基部７０の両端部（Ｙ方向）に配置される係止部７１ａ，７１ｂとを有している。基部７０には、突起部６８ａ，６８ｂに対応する位置に、係止爪７２ａ，７２ｂが設けられている。係止爪７２ａ，７２ｂは、突起部６８ａ，６８ｂに対向して配置されており、基部７０の上面から上方に起立して設けられている。係止爪７２ａ，７２ｂは、湾曲形状を呈しており、突起部６８ａ，６８ｂに対して凸状に反っている。この係止爪７２ａ，７２ｂにより、配線基板５１及び押圧部材５３（後述）をハウジング６０の長手方向（Ｘ方向）の外側に引っ張る張力が配線基板５１及び押圧部材５３に与えられ、配線基板５１及び押圧部材５３がハウジング６０に保持固定される。
【００７８】
係止部７１ａ，７１ｂには、係止爪７３ａ，７３ｂがそれぞれ設けられている。図１４（ａ）に示すように、係止爪７３ａ（７３ｂ）は、ハウジング６０の幅方向の外側に向かって下方に傾斜している。
【００７９】
接触子１４は、第１実施形態と同様の構成を有している。すなわち、接触子１４は、その両端が第１側壁部６３と第２側壁部６４とに固定されて支持されている。隣接する接触子１４同士は、互いに逆方向に配置されている。これにより、接触子１４は、ハウジング１０の長手方向において、配線基板５１との接点が千鳥状に配列されている。
【００８０】
接触子１４は、接続端子４０と、第１端部４１と、第２端部４２と、第１部分４３と、第２部分４４と、中央部分４５とから構成されている。接続端子４０、第１端部４１、第２端部４２、第１部分４３、第２部分４４及び中央部分４５は、一体に形成されており、同一平面上に位置している。
【００８１】
図１６（ａ）は、図１２に示す回路組立体の押圧部材を上方から示す斜視図であり、図１６（ｂ）は、図１２に示す回路組立体の押圧部材を下方から示す斜視図である。図１６に示す押圧部材５３は、配線基板上に配置される押圧部材であって、ハウジングに固定されると共に、配線基板をハウジング側に押圧する。すなわち、押圧部材５３は、配線基板５１を電気コネクタ５２のハウジング６０側に押圧する部材である。押圧部材５３は、例えば金属などの材料から形成されており、押圧部７５と、側面部７６と、一対の係合部７７，７８とを有している。押圧部７５、側面部７６及び係合部７７，７８とは、板金により一体に形成されている。
【００８２】
押圧部７５は、配線基板５１の一面と当接する部分であり、板状をなしている。押圧部７５には、配線基板５１の嵌合穴５５に対応する位置、すなわち電気コネクタ５２の突起部６８ａ，６８ｂに対応する位置に、嵌合穴７９が設けられている。側面部７６は、押圧部７５の長手方向の一側面の端部から起立している。側面部７６は、押圧部７５に沿って設けられている。側面部７６の両端部には、押圧部材保持部６１ａ，６１ｂの係止部７１ａ，７１ｂの係止爪７３ｂと係合する係合穴８０ａ，８０ｂがそれぞれ形成されている。
【００８３】
係合部７７，７８は、押圧部７５の他側面の両端部にそれぞれ配置されている。係合部７７，７８は、押圧部７５の他側面から押圧部７５の面方向に張り出していると共に、その端部から側面部７６と同じ方向に起立している。係合部７７，７８には、押圧部材保持部６１ａ，６１ｂにおける係止部７１ａ，７１ｂの係止爪７３ａと係合する係合穴８１，８２が形成されている。図１２に示すように、回路組立体５０において、一対の係合部７７，７８の間には、配線基板５１が配置される。
【００８４】
続いて、回路組立体５０の組立方法について説明する。まず、電気コネクタ５２を回路基板上に配置する。次に、電気コネクタ５２の上方に配線基板５１を配置し、配線基板５１を電気コネクタ５２（ハウジング６０）上に載置する。そして、配線基板５１を押圧し、ハウジング６０の突起部６８ａ，６８ｂ及び押圧部材保持部６１ａ，６１ｂの係止爪７２ａ，７２ｂと配線基板５１の嵌合穴５５とを嵌合させる。このとき、配線基板５１が押圧部材保持部６１ａ，６１ｂの係止部７１ａ，７１ｂにより係止され、電気コネクタ５２に配線基板５１が固定される。
【００８５】
配線基板５１と電気コネクタ５２とを固定した後、配線基板５１の上方に押圧部材５３を配置し、補強部材５６を配線基板５１上に載置する。そして、押圧部材５３を押圧し、ハウジング６０の突起部６８ａ，６８ｂ及び押圧部材保持部６１ａ，６１ｂの係止爪７２ａ，７２ｂと押圧部材５３の嵌合穴７９とを嵌合させる。さらに、押圧部材保持部６１ａ，６１ｂの係止部７１ａ，７１ｂの係止爪７３ａ，７３ｂと押圧部材５３の係合穴８０ａ，８０ｂ，８１，８２とを係合させる。
【００８６】
これにより、配線基板５１に対して、押圧部材５３から電気コネクタ５２側に一様に押圧する力が付与される。したがって、配線基板５１の端子５４と電気コネクタ５２の接触子１４とが確実に接触する。なお、押圧部材５３は、配線基板５１を電気コネクタ５２に載置すると同時に配置されてもよい。以上のように、本実施形態では、電気コネクタ５２に対して配線基板５１及び押圧部材５３をこの順に積層することにより回路組立体５０が組み立てられる。
【００８７】
以上説明したように、本実施形態では、電気コネクタ５２のハウジング６０は、第１側壁部６３と第２側壁部６４とが対向して配置され、この第１側壁部６３と第２側壁部６４とりにより開放面ＯＳが画成されている。また、接触子１４は、第１側壁部６３及び第２側壁部６４との間に配列されると共に、第１側壁部６３及び第２側壁部６４に固定されており、その中央部分４５（配線基板２との接点）が開放面ＯＳから外方に突出して露出している。
【００８８】
このような構成の電気コネクタ５２では、接触子１４が開放面ＯＳから突出しているため電気コネクタ５２に配線基板５１を載置することにより、接触子１４と配線基板５１の端子５４とを接続できる。したがって、電気コネクタ５２に配線基板５１を取り付ける場合には、電気コネクタ５２の上方から配線基板５１を電気コネクタ５２に載置し、配線基板５１を上方から押圧する。つまり、本実施形態の回路組立体５０では、配線基板５１を上方から押し込むことにより、配線基板５１を電気コネクタ５２に実装できる。
【００８９】
また、押圧部材５３により配線基板５１がハウジング６０側に配線基板５１の全面に亘って一様に押圧される。したがって、接触子１４と配線基板５１の端子５４との接続をより確実なものとできる。その結果、回路組立体５０の信頼性の向上が図れる。
【００９０】
なお、上記実施形態では、押圧部材５３により配線基板５１を押圧することにより配線基板５１の端子５４と接触子１４との接続を確保しているが、この構成に加えて、配線基板５１を外側に引っ張る張力を与える機構（第１実施形態の基板保持部１２ａ，１２ｂ）を更に備えていてもよい。
【００９１】
［第３実施形態］
続いて、第３実施形態について説明する。図１７は、第３実施形態に係る回路組立体の電気コネクタを示す斜視図である。図１８は、図１７におけるＡ−Ａ線断面図である。
【００９２】
図１７及び図１８に示すように、電気コネクタ９０は、ハウジング９１と、基板保持部９２ａ，９２ｂと、接触子９３とを有している。ハウジング９１は、第１側壁部９５と、第２側壁部９６と、第３側壁部９７と、第１〜第３側壁部９５〜９７を連結する一対の連結部９８，９９とから構成されている。
【００９３】
第１側壁部９５、第２側壁部９６及び第３側壁部９７は、断面が略矩形形状を呈する柱状の部材であり、互いに所定の間隔をあけて対向配置されていると共に、互いに略平行に延在している。第３側壁部９７は、第１側壁部９５と第２側壁部９６との間に配置されている。第１側壁部９５、第２側壁部９６及び第３側壁部９７のそれぞれの上面９５ａ，９６ａ，９７ａは、平坦面であり、同じ高さ位置となっている。
【００９４】
連結部９８，９９は、第１〜第３側壁部９５〜９７の長手方向（Ｘ方向）の両端部にそれぞれ設けられている。連結部９８と連結部９９とは、同様の構成を有している。ここでは、連結部９８を例示して構成を説明する。
【００９５】
連結部９８は、基部１００と、係止部１０１ａ，１０１ｂとから構成されている。基部１００は、第１〜第３側壁部９５〜９７の長手方向の一端部に連設されている。基部１００は、板状の部材であり、第１〜第３側壁部９５〜９７の対向方向（Ｙ方向）に沿って延在している。
【００９６】
係止部１０１ａ，１０１ｂは、基部１００から上方に突出しており、その先端は、第１〜第３側壁部９５〜９７の上面９５ａ，９６ａ，９７ａよりも上方に位置している。係止部１０１ａ，１０１ｂには、ハウジング９１の内側に張り出す係止部１０２が設けられている。係止部１０２は、図示しない配線基板を係止する。
【００９７】
また、係止部１０１ａ，１０１ｂの上部には、それぞれガイド面１０３ａ，１０３ｂが形成されている。ガイド面１０３ａ，１０３ｂは、ハウジング９１の内側に向かって下り勾配で傾斜する傾斜面（テーパー）である。ガイド面１０３ａ，１０３ｂの下端は、第１及び第２側壁部９５，９６の上面９５ａ，９６ａの高さ位置と略同等となっている。このガイド面１０３ａ，１０３ｂは、ハウジング９１に配線基板が配置される際の位置決め機構として機能する。
【００９８】
ハウジング９１には、第１側壁部９５、第２側壁部９６、第３側壁部９７及び連結部９８，９９により、矩形形状の開口部Ｋ１，Ｋ２が画成されている。また、ハウジング９１は、第１〜第３側壁部９５〜９７の上面９５ａ，９６ａ，９７ａにより開放面ＯＳが画成されており、一方向において開口されている。
【００９９】
基板保持部９２ａ，９２ｂは、配線基板をハウジング９１に保持固定する手段である。基板保持部９２ａ，９２ｂは、弾性を有する例えば金属などの材料から形成されている。連結部９８に配置される基板保持部９２ａと連結部９９に配置される基板保持部９２ｂとは、同様の構成を有している。ここでは、連結部９８に配置される基板保持部９２ａを例示して構成を説明する。なお、基板保持部９２ａ，９２ｂは、射出成形によりハウジング９１と一体に形成されている。
【０１００】
基板保持部９２ａは、第１〜第３側壁部９５〜９７の長手方向の一端部側、すなわちハウジング９１の連結部９８に取り付けられている。基板保持部９２ａは、可撓性を有しており、基部１１０と、嵌合部１１１とから構成されている。基部１１０と嵌合部１１１とは、板金により一体に形成されている。
【０１０１】
基部１１０は、板状の部材であり、連結部９８の長手方向（Ｙ方向）に延在している。嵌合部１１１は、配線基板の図示しない嵌合穴に嵌合する部分である。図１７に示すように、嵌合部１１１は、上面部１１１ａと、上面部１１１ａの一端側に連設された第１側面部１１１ｂと、上面部１１１ａと基部１１０との間に連設された第２側面部１１１ｃとから構成されている。
【０１０２】
上面部１１１ａは、上から見て略矩形形状を呈しており、配線基板の嵌合穴と略同等の寸法を有している。第１側面部１１１ｂ及び第２側面部１１１ｃは、配線基板の嵌合穴と当接する部分である。第１側面部１１１ｂと第２側面部１１１ｃとの幅寸法は、配線基板の嵌合穴の径よりも大きくなっている。基板保持部９２ａ，９２ｂは、配線基板の嵌合穴と嵌合したときに、配線基板に対して、中央部（中心）から両端部側（横方向）に向かって相反する方向、つまりＸ方向の外側に引っ張る張力を与える。
【０１０３】
図１８に示すように、接触子９３は、接続端子１２０と、第１端部１２１と、第２端部１２２と、第１部分１２３と、第２部分１２４と、中央部分１２５とから構成されている。接続端子１２０、第１端部１２１、第２端部１２２、第１部分１２３、第２部分１２４及び中央部分１２５は、一体に形成されており、同一平面上に位置している。
【０１０４】
接続端子１２０は、接触子９３の一端側の部分であり、直線状に構成されている。接続端子１２０は、回路基板に設けられた接触部（図示しない）に電気的に接触する。接続端子１２０は、第１側壁部９５にその一部が埋め込まれていると共に、端部が第１側壁部９５の外側面の外側に位置する。
【０１０５】
第１端部１２１は、その一部が第３側壁部９７に埋め込まれており、第３側壁部９７に支持固定される。第１端部１２１は、直線状に構成されており、接続端子１２０よりも上方の位置において接続端子１２０と略平行に延在している。第２端部１２２は、その一部が第１側壁部９５に埋め込まれており、第１側壁部９５に支持固定される。接触子９３は、この第２端部１２２と第１端部１２１との２箇所でハウジング９１に固定されて支持されている。
【０１０６】
第１部分１２３は、第１端部１２１と中央部分１２５との間の部分である。第１部分１２３は、第１端部１２１に連設されており、第３側壁部９７側から第１側壁部９５側に向かいつつ、開放面ＯＳ側に向かって傾斜して延在している。第２部分１２４は、第２端部１２２と中央部分１２５との間の部分である。第２部分１２４は、第１直線部（直線部分）１２４ａと、第２直線部１２４ｂと、第３直線部１２４ｃと、第１屈曲部（屈曲部分）１２４ｄと、第２屈曲部１２４ｅとを有している。
【０１０７】
第１直線部１２４ａと第２直線部１２４ｂとは、略Ｖ字状を呈する第１屈曲部１２４ｄにより連結されている。第１直線部１２４ａは、第２端部１２２から第３側壁部９７側に向かって延在しており、第１側壁部９５側から第３側壁部９７側に向かって下方に傾斜している。第２直線部１２４ｂは、第１屈曲部１２４ｄから第３側壁部９７側に向かって延在しており、第１側壁部９５側から第３側壁部９５側に向かって上方に傾斜している。
【０１０８】
第２直線部１２４ｂと第３直線部１２４ｃとは、略Ｖ字状を呈する第２屈曲部１２４ｅにより連結されている。第３直線部１２４ｃは、第２屈曲部１２４ｅから第１側壁部９５側に向かって延在しており、第３側壁部９７側から第１側壁部９５側に向かって上方に傾斜している。つまり、第３直線部１２４ｃは、第２屈曲部１２４ｅにより第２直線部１２４ｂに対して折り返されている。
【０１０９】
中央部分１２５は、Ｕ字状に折り曲げられた屈曲部分１２５ａを有しており、第１部分１２３と第２部分１２４の第３直線部１２４ｃとが所定の間隔をあけて略平行となるように、第１部分１２３と第２部分１２４とを連結している。中央部分１２５の頂部は、配線基板の端子との接点である。中央部分１２５は、第１〜第３側壁部９５〜９７の上面９５ａ〜９７ａ、すなわち開放面ＯＳに対して傾斜しつつ、開放面ＯＳよりも上方（外方）に突出している。これにより、接触子９３は、上方から載置される配線基板の端子と接触可能とされている。
【０１１０】
なお、上記の接触子９３に隣接する接触子９３は、上述の構成を左右反転させた構成を有している。すなわち、上述した接触子９３に隣接する接触子９３では、接続端子１２０が第２側壁部９６の外側に位置しており、第１端部１２１が第３側壁部９７に固定されている。また、第２端部１２２が第２側壁部９６に固定されている。このような構成により、接触子９３は、その接点が千鳥状に配列される。
【０１１１】
以上説明したように、電気コネクタ９０のハウジング９１は、第１側壁部９５、第２側壁部９６及び第３側壁部９７とりにより開放面ＯＳが画成されている。また、接触子９３は、第１側壁部９５と第３側壁部９７、第２側壁部９６と第３側壁部９７との間に配列されると共に、第１側壁部９５及び第３側壁部９７、第２側壁部９６及び第３側壁部９６に固定されており、その中央部分１２５（配線基板との接点）が開放面ＯＳから外方に突出して露出している。
【０１１２】
このような構成の電気コネクタ９０では、接触子９３が開放面ＯＳから突出しているため電気コネクタ９０に配線基板を載置することにより、接触子９３と配線基板の端子とを接続できる。したがって、電気コネクタ９０に配線基板を取り付ける場合には、電気コネクタ９０の上方から配線基板を電気コネクタ９０に載置し、配線基板を上方から押圧する。つまり、本実施形態の電気コネクタ９０では、配線基板を上方から押し込むことにより、配線基板を電気コネクタ９０に実装できる。
【０１１３】
［第４実施形態］
続いて、第４実施形態について説明する。図１９は、第４実施形態に係る回路組立体の電気コネクタを示す斜視図である。図２０は、図１９におけるＢ−Ｂ−線断面図である。
【０１１４】
図１９及び図２０に示すように、電気コネクタ１３０は、ハウジング１３１と、基板保持部９２ａ，９２ｂと、接触子１３２とを有している。基板保持部９２ａ，９２ｂは、電気コネクタ９０と同様の構成を有している。
【０１１５】
図１９に示すハウジング１３１は、接触子１３２が配置される接触子保持部１３４を有している。接触子保持部１３４は、接触子１３２の数だけ（ここでは４０個）形成されており、接触子１３２の配列に対応して設けられている。すなわち、接触子保持部１３４は、ハウジング１３１の幅方向の両側にそれぞれ設けられており、千鳥状に配置されている。ハウジング１３１の上面は、平坦面であり、開放面ＯＳとなっている。
【０１１６】
図２０に示すように、接触子１３２は、接触子保持部１３４において、その一端部もしくは両端部がハウジング１３１に保持されている。接触子１３２は、接続端子１４０と、第１端部１４１と、第２端部１４２と、第１部分１４３と、第２部分１４４と、中央部分１４５とから構成されている。接続端子１４０、第１端部１４１、第２端部１４２、第１部分１４３、第２部分１４４及び中央部分１４５は、一体に形成されており、同一平面上に位置している。接触子１３２は、ハウジング１３１において、接触子保持部１３４に圧入されている。
【０１１７】
接続端子１４０は、接触子１３２の一端側の部分であり、直線状に構成されている。接続端子１４０は、回路基板に設けられた接触部（図示しない）に電気的に接触する。接続端子１４０は、ハウジング１３１の外側面の外側に位置する。
【０１１８】
第１端部１４１は、その一部がハウジング１３１に圧入されており、ハウジング１３１に支持固定される。第２端部１４２は、略Ｕ字状を呈しており、ハウジング１３１に支持固定される。接触子１３２は、この第２端部１４２と第１端部１４１との２箇所でハウジング１３１に固定されて支持されている。
【０１１９】
第１部分１４３は、第１端部１４１と中央部分１４５との間の部分である。第１部分１４３は、第１端部１４１に連設されており、開放面ＯＳ側に向かって傾斜して延在している。第２部分１４４は、第２端部１４２と中央部分１４５との間の部分である。第２部分１４４は、第１直線部（直線部分）１４４ａと、第２直線部１４４ｂと、第３直線部１４４ｃと、第１屈曲部（屈曲部分）１４４ｄと、第２屈曲部１４４ｅとを有している。
【０１２０】
第１直線部１４４ａと第２直線部１４４ｂとは、略Ｖ字状を呈する第１屈曲部１４４ｄにより連結されている。第１直線部１４４ａは、第２端部１４２から第１端部１４１側に向かって延在しており、第２端部１４２から第１端部１４１側に向かって下方に傾斜している。第２直線部１４４ｂは、第１屈曲部１４４ｄから第１端部１４１側に向かって延在しており、第２端部１４２側から第１端部１４１側に向かって上方に傾斜している。
【０１２１】
第２直線部１４４ｂと第３直線部１４４ｃとは、略Ｖ字状を呈する第２屈曲部１４４ｅにより連結されている。第３直線部１４４ｃは、第２屈曲部１４４ｅから第２端部１４２に向かって延在しており、第１端部１４１側から第２端部１４２側に向かって上方に傾斜している。つまり、第３直線部１４４ｃは、第２屈曲部１４４ｅにより第２直線部１４４ｂに対して折り返されている。
【０１２２】
中央部分１４５は、Ｕ字状に折り曲げられた屈曲部分１４５ａを有しており、第１部分１４３と第２部分４４の第３直線部１４４ｃとが所定の間隔をあけて略平行となるように、第１部分１４３と第２部分１４４とを連結している。中央部分１４５の頂部は、配線基板の端子との接点である。中央部分１４５は、開放面ＯＳに対して傾斜しつつ、開放面ＯＳよりも上方（外方）に突出している。これにより、接触子１３２は、上方から載置される配線基板の端子と接触可能とされている。
【０１２３】
以上説明したように、電気コネクタ１３０のハウジング１３１は、開放面ＯＳを有している。また、接触子１３２は、ハウジング１３１の接触子保持部１３４に保持されていると共に、その中央部分１４５（配線基板との接点）が開放面ＯＳから外方に突出して露出している。
【０１２４】
このような構成の電気コネクタ１３０では、接触子１３２が開放面ＯＳから突出しているため電気コネクタ１３０に配線基板を載置することにより、接触子１３２と配線基板の端子とを接続できる。したがって、電気コネクタ１３０に配線基板を取り付ける場合には、電気コネクタ１３０の上方から配線基板を電気コネクタ１３０に載置し、配線基板を上方から押圧する。つまり、本実施形態の電気コネクタ１３０では、配線基板を上方から押し込むことにより、配線基板を電気コネクタ１３０に実装できる。
【０１２５】
１，５０…回路組立体、２，５１…配線基板（配線基板）、３，５２，９０，１３０…電気コネクタ、７…嵌合穴（被固定手段）、１０，６０，９１，１３１…ハウジング、１２ａ，１２ｂ，９２ａ，９２ｂ…配線保持部（固定手段）、１４，９３，１３２…接触子、２０，６３，９５…第１側壁部、２１，６４，９６…第２側壁部、３０…基部、３１…嵌合部、４１…第１端部、４２…第２端部、４３…第１部分、４４…第２部分、４４ａ〜４４ｃ…第１〜第３直線部（直線部分）、４４ｄ，４４ｅ…第１及び第２屈曲部（屈曲部分）、１３４…接触子保持部、ＯＳ…開放面。
【図１】
0005930652.tif 000002
【図２】
0005930652.tif 000003
【図３】
0005930652.tif 000004
【図４】
0005930652.tif 000005
【図５】
0005930652.tif 000006
【図６】
0005930652.tif 000007
【図７】
0005930652.tif 000008
【図８】
0005930652.tif 000009
【図９】
0005930652.tif 000010
【図１０】
0005930652.tif 000011
【図１１】
0005930652.tif 000012
【図１２】
0005930652.tif 000013
【図１３】
0005930652.tif 000014
【図１４】
0005930652.tif 000015
【図１５】
0005930652.tif 000016
【図１６】
0005930652.tif 000017
【図１７】
0005930652.tif 000018
【図１８】
0005930652.tif 000019
【図１９】
0005930652.tif 000020
【図２０】
0005930652.tif 000021